(57)【要約】【課題】  ＴＶ放送の録画動作とは同時実行できないアプリケーションの実行中であっても、予め指定された時刻に録画を開始させることができる携帯通信端末を提供する。【解決手段】  ＴＶ放送を録画するＴＶ録画再生処理部３３と、ＴＶ放送の録画動作とは同時実行できないアプリケーションに対し、ユーザ操作に基づいてアプリケーションを実行するアプリケーションプログラム実行処理部３４と、予約録画優先フラグを記憶するフラグ記憶部３６と、ユーザ操作に基づいて予約録画優先フラグを有効化する予約録画優先指定部３５と、ユーザ操作に基づいて録画開始時刻を指定し、録画開始信号を生成する予約録画制御部３１により構成される。ＴＶ録画再生処理部３３が、予約録画優先フラグ及び録画開始信号に基づいて、実行中のアプリケーションを終了させ、録画開始時刻にＴＶ放送の録画を開始する。【選択図】  図３
2011130479.tif 000002
【特許請求の範囲】
【請求項１】
ＴＶ放送を視聴することができ、予め指定された時刻にＴＶ放送の録画を開始させることができる携帯通信端末において、
上記ＴＶ放送を録画するＴＶ放送録画手段と、
上記ＴＶ放送の録画動作とは同時実行できないアプリケーションプログラムに対し、ユーザ操作に基づいて上記アプリケーションプログラムを実行するアプリケーションプログラム実行手段と、
上記アプリケーションプログラムの実行よりも優先させて上記ＴＶ放送を録画させるための予約録画優先フラグを記憶するフラグ記憶手段と、
ユーザ操作に基づいて上記予約録画優先フラグを有効化する予約録画優先指定手段と、
ユーザ操作に基づいて録画開始時刻を指定し、上記録画開始時刻に基づいて録画開始信号を生成する予約録画制御手段とを備え、
上記ＴＶ放送録画手段が、上記予約録画優先フラグ及び上記録画開始信号に基づいて、実行中の上記アプリケーションプログラムを終了させ、上記録画開始時刻にＴＶ放送の録画を開始することを特徴とする携帯通信端末。
【請求項２】
上記ＴＶ放送録画手段は、上記予約録画優先フラグが有効であれば、上記録画開始時刻よりも所定時間前に上記アプリケーションプログラムを終了させ、録画開始時刻にＴＶ放送の録画を開始し、予約録画優先フラグが有効でなければ、実行中の上記アプリケーションプログラムの終了時にＴＶ放送の録画を開始することを特徴とする請求項１に記載の携帯通信端末。
【請求項３】
上記ＴＶ放送録画手段が、上記録画開始時刻よりも上記所定時間前に上記アプリケーションプログラムを終了させて上記ＴＶ放送を再生することを特徴とする請求項２に記載の携帯通信端末。
【請求項４】
上記録画開始時刻よりも所定時間前に録画開始を報知する予約録画報知手段を備え、
上記ＴＶ放送録画手段が、上記予約録画報知手段による録画開始の報知から上記録画開始時刻までの間に行われた実行中の上記アプリケーションプログラムに対する終了操作に基づいて、上記ＴＶ放送の再生を開始することを特徴とする請求項１又は２に記載の携帯通信端末。
【請求項５】
上記ＴＶ放送録画手段は、上記アプリケーションプログラムが実行中でなければ、上記予約録画報知手段による録画開始の報知時に、上記ＴＶ放送の再生を開始することを特徴とする請求項４に記載の携帯通信端末。
【請求項６】
上記予約録画報知手段により録画開始が報知される時刻が、上記ＴＶ放送録画手段により実行中のアプリケーションプログラムを終了してＴＶ放送の再生が開始される時刻よりも前であることを特徴とする請求項４又は５に記載の携帯通信端末。
【発明の詳細な説明】
【技術分野】
【０００１】
本発明は、携帯通信端末に係り、さらに詳しくは、ＴＶ放送を視聴することができ、予め指定された時刻にＴＶ放送の録画を開始させることができる携帯通信端末の改良に関する。
【背景技術】
【０００２】
近年、ＴＶ（TeleVision：テレビジョン）放送波を受信して放送番組を視聴することができる携帯電話機が製品化され、話題となっている。この種の携帯電話機は、地上波デジタル放送の１セグメントサービスに対応するＴＶチューナを備え、トランスポートストリーム中の１セグメントを受信してＴＶ放送の再生を行っている。最近では、単にＴＶ放送を再生するだけでなく、ユーザが予め指定した時刻にＴＶ放送の再生を自動的に開始させる機能、いわゆる予約視聴機能や、ＴＶ放送をメモリカードなどに記録する録画機能を備えた携帯電話機も提案されている（例えば、特許文献１）。
【先行技術文献】
【特許文献】
【０００３】
【特許文献１】特開２００６−２０２８７号公報
【発明の概要】
【発明が解決しようとする課題】
【０００４】
一般に、ＴＶ放送の録画機能などの動画処理を伴う機能を実現するアプリケーションプログラムは、他のアプリケーションプログラムに比べて、起動時又は実行中の処理負荷が大きい。このため、ＴＶ放送の録画動作と、動画データを処理する他のアプリケーションプログラムとは、同時実行できない場合が少なくない。上述した様な従来の携帯電話機では、この様な録画動作とは同時に実行させられないアプリケーションプログラムの実行中にＴＶ放送を録画する場合、ユーザ操作によって実行中のアプリケーションプログラムを終了させる必要があった。このため、ユーザが予め指定した時刻にＴＶ放送の録画を自動的に開始させようとしても、アプリケーションプログラムが実行中であると、録画動作が開始されず、ＴＶ放送を録画できない場合があるという問題があった。
【０００５】
本発明は、上記事情に鑑みてなされたものであり、ＴＶ放送の録画動作とは同時実行できないアプリケーションプログラムの実行中であっても、予め指定された時刻に録画動作を開始させ、ＴＶ放送を録画することができる携帯通信端末を提供することを目的としている。特に、アプリケーションプログラムの実行よりも優先させてＴＶ放送を録画させるか否かをユーザが選択することができる携帯通信端末を提供することを目的としている。
【課題を解決するための手段】
【０００６】
第１の本発明による携帯通信端末は、ＴＶ放送を視聴することができ、予め指定された時刻にＴＶ放送の録画を開始させることができる携帯通信端末であって、上記ＴＶ放送を録画するＴＶ放送録画手段と、上記ＴＶ放送の録画動作とは同時実行できないアプリケーションプログラムに対し、ユーザ操作に基づいて上記アプリケーションプログラムを実行するアプリケーションプログラム実行手段と、上記アプリケーションプログラムの実行よりも優先させて上記ＴＶ放送を録画させるための予約録画優先フラグを記憶するフラグ記憶手段と、ユーザ操作に基づいて上記予約録画優先フラグを有効化する予約録画優先指定手段と、ユーザ操作に基づいて録画開始時刻を指定し、上記録画開始時刻に基づいて録画開始信号を生成する予約録画制御手段とを備え、上記ＴＶ放送録画手段が、上記予約録画優先フラグ及び上記録画開始信号に基づいて、実行中の上記アプリケーションプログラムを終了させ、上記録画開始時刻にＴＶ放送の録画を開始するように構成される。
【０００７】
この携帯通信端末では、録画開始時刻に基づいて生成される録画開始信号と、ＴＶ放送の録画動作とは同時実行できないアプリケーションプログラムの実行よりも優先させてＴＶ放送を録画させるための予約録画優先フラグとに基づいて、実行中のアプリケーションプログラムを終了させてＴＶ放送の録画が開始される。例えば、ＴＶ放送の録画機能や、ウェブサイトを閲覧するためのウェブブラウザ機能を実現するアプリケーションプログラムは、動画データを処理する必要があることから、他のアプリケーションプログラムに比べて、起動時又は実行中の処理負荷が大きい。このため、ＴＶ放送の録画動作と、ウェブブラウザなどの動画データを処理するアプリケーションプログラムとは、同時実行できない場合が少なくない。本発明による携帯通信端末では、上記構成により、実行中のアプリケーションプログラムを終了させてＴＶ放送の録画を自動的に開始させるので、録画動作とは同時実行できないアプリケーションプログラムの実行中であっても、録画開始時刻に録画動作を開始させ、ＴＶ放送を録画することができる。その際、ユーザ操作によって有効化される予約録画優先フラグに基づいて録画動作が開始されるので、アプリケーションプログラムの実行よりも優先させてＴＶ放送を録画させるか否かをユーザが選択することができる。
【０００８】
第２の本発明による携帯通信端末は、上記構成に加え、上記ＴＶ放送録画手段が、上記予約録画優先フラグが有効であれば、上記録画開始時刻よりも所定時間前に上記アプリケーションプログラムを終了させ、録画開始時刻にＴＶ放送の録画を開始し、予約録画優先フラグが有効でなければ、実行中の上記アプリケーションプログラムの終了時にＴＶ放送の録画を開始するように構成される。
【０００９】
第３の本発明による携帯通信端末は、上記構成に加え、上記ＴＶ放送録画手段が、上記録画開始時刻よりも上記所定時間前に上記アプリケーションプログラムを終了させて上記ＴＶ放送を再生するように構成される。この様な構成によれば、録画開始時刻の所定時間前にアプリケーションプログラムを終了させた際に、ＴＶ放送の再生が開始されるので、プログラム終了から録画開始までの間に、アプリケーションプログラムが起動されるのを抑制させることができる。
【００１０】
第４の本発明による携帯通信端末は、上記構成に加え、上記録画開始時刻よりも所定時間前に録画開始を報知する予約録画報知手段を備え、上記ＴＶ放送録画手段が、上記予約録画報知手段による録画開始の報知から上記録画開始時刻までの間に行われた実行中の上記アプリケーションプログラムに対する終了操作に基づいて、上記ＴＶ放送の再生を開始するように構成される。この携帯通信端末では、録画開始の報知から録画開始時刻までの間に、実行中のアプリケーションプログラムを終了するための終了操作が行われた場合、その終了操作に基づいてＴＶ放送の再生が開始される。この様な構成によれば、録画開始の報知から録画開始時刻までの間にアプリケーションプログラムを終了させた際に、ＴＶ放送の再生が開始されるので、プログラム終了から録画開始までの間に、アプリケーションプログラムが起動されるのを抑制させることができる。
【００１１】
第５の本発明による携帯通信端末は、上記構成に加え、上記ＴＶ放送録画手段が、上記アプリケーションプログラムが実行中でなければ、上記予約録画報知手段による録画開始の報知時に、上記ＴＶ放送の再生を開始するように構成される。この様な構成によれば、アプリケーションプログラムが実行中でなければ、録画開始の報知時にＴＶ放送の再生が開始されるので、録画開始の報知から実際に録画が開始されるまでの間に、アプリケーションプログラムが起動されるのを抑制させることができる。
【００１２】
第６の本発明による携帯通信端末は、上記構成に加え、上記予約録画報知手段により録画開始が報知される時刻が、上記ＴＶ放送録画手段により実行中のアプリケーションプログラムを終了してＴＶ放送の再生が開始される時刻よりも前であるように構成される。
【発明の効果】
【００１３】
本発明による携帯通信端末によれば、実行中のアプリケーションプログラムを終了させてＴＶ放送の録画を自動的に開始させるので、録画動作とは同時実行できないアプリケーションプログラムの実行中であっても、録画開始時刻に録画動作を開始させ、ＴＶ放送を録画することができる。その際、ユーザ操作によって有効化される予約録画優先フラグに基づいて録画動作が開始されるので、アプリケーションプログラムの実行よりも優先させてＴＶ放送を録画させるか否かをユーザが選択することができる。
【図面の簡単な説明】
【００１４】
【図１】本発明の実施の形態による携帯電話機１０を含む通信システム１００の一構成例を示した図である。
【図２】図１の携帯電話機１０の概略構成の一例を示したブロック図である。
【図３】図２の携帯電話機１０の要部における構成例を示したブロック図であり、主制御部２内の機能構成の一例が示されている。
【図４】図２の携帯電話機１０における動作の一例を示した遷移図であり、予約録画優先フラグを有効化する際の設定画面４０が示されている。
【図５】図２の携帯電話機１０における動作の一例を示したタイミングチャートであり、予約録画の開始時における動作の様子が示されている。
【図６】図２の携帯電話機１０における動作の一例を示した遷移図であり、ウェブサイト閲覧中における予約録画の開始時の画面表示の様子が示されている。
【図７】図２の携帯電話機１０における予約録画動作の一例を示したフローチャートである。
【発明を実施するための形態】
【００１５】
図１は、本発明の実施の形態による携帯電話機１０を含む通信システム１００の一構成例を示した図である。この通信システム１００は、携帯電話機１０、基地局２０、通信ネットワーク２１、ウェブサーバ２２、ＴＶ局２３、携帯端末２４及びパーソナルコンピュータ２５からなる。
【００１６】
通信ネットワーク２１は、基地局２０が接続される移動体通信網と、この移動体通信網にゲートウェイを介して接続されるコンピュータネットワークとを含む通信網である。ここでいうコンピュータネットワークとしては、インターネットやＬＡＮ（Local Area Network）が想定される。
【００１７】
携帯電話機１０は、基地局２０を介して通信ネットワーク２１に接続可能な通信端末であり、通信ネットワーク２１を介して他の携帯電話機と通話し、或いは、電子メールを送受信することができる。この携帯電話機１０には、ディスプレイ１１と、メモリカード１３を収容するカードスロット１２とが設けられている。メモリカード１３は、不揮発性の半導体記憶素子からなる着脱可能な記録媒体である。
【００１８】
ウェブサーバ２２は、通信ネットワーク２１に接続された情報処理装置であり、様々なコンテンツをウェブサイト上で提供している。
【００１９】
基地局２０は、無線サービスエリア内の携帯電話機１０を管理する管理装置であり、通信ネットワーク２１に接続されている。携帯電話機１０は、アドレスを指定して接続要求を送信すれば、この様な基地局２０を介して通信ネットワーク２１上のウェブサーバ２２にアクセスすることができ、ウェブサーバ２２上のウェブサイトを閲覧することができる。
【００２０】
ＴＶ局２３は、ＴＶ放送波を送信する送信装置であり、予め割り当てられた周波数帯域を使用して、放送番組を提供している。携帯電話機１０では、この様なＴＶ放送波を受信してＴＶ放送を再生することができ、ＴＶ局２３が提供する放送番組を視聴することができる。
【００２１】
携帯端末２４は、赤外線を利用して携帯電話機１０と近距離通信可能な通信端末であり、基地局２０を介さずに、携帯電話機１０と直接にデータを送受信することができる。パーソナルコンピュータ２５は、近距離通信用の電波を利用して携帯電話機１０と通信可能な情報処理端末である。
【００２２】
携帯電話機１０は、ウェブサイト上で提供されるコンテンツを取得するウェブブラウザ機能や、ＴＶ放送を再生するＴＶ再生機能の他に、ユーザが予め指定した時刻にＴＶ放送をメモリカード１３に記録する予約録画機能を備えている。
【００２３】
図２は、図１の携帯電話機１０の概略構成の一例を示したブロック図である。この携帯電話機１０は、セルラー通信部１ａ、ＴＶ放送受信部１ｂ、近距離無線通信部１ｃ、主制御部２、操作入力部３、受話用レシーバ４、送話用マイクロホン５、スピーカ６、カメラ７、バイブレータ及びＬＥＤ８、データ入出力部９、ディスプレイ１１、カードスロット１２及びマルチメディア処理部１４からなる。
【００２４】
主制御部２は、セルラー通信部１ａ、ＴＶ放送受信部１ｂ、近距離無線通信部１ｃ、操作入力部３、受話用レシーバ４、送話用マイクロホン５、スピーカ６、カメラ７、バイブレータ及びＬＥＤ８、データ入出力部９及びディスプレイ１１の動作を制御するプロセッサからなる。
【００２５】
セルラー通信部１ａは、通信アンテナを介して基地局２０との間で電波の送受信を行う移動体通信処理手段である。
【００２６】
ＴＶ放送受信部１ｂは、ＴＶ放送受信用のアンテナを介してＴＶ局２３からのＴＶ放送波を受信処理するＴＶチューナである。このＴＶ放送受信部１ｂにより、ＴＶ映像、ＴＶ音声及び属性情報からなる受信データが生成される。一般に、ＴＶ局２３から発信されるＴＶ放送波には、アナログ放送に対応したアナログ放送波と、デジタル放送に対応したデジタル放送波とが含まれている。ＴＶ放送受信部１ｂが受信するデジタル放送波は、デジタルハイビジョン放送波の一定帯域に割り当てられた携帯端末用の１セグメント放送波であり、ＴＶ映像及びＴＶ音声に加えて、そのＴＶ映像に対応する字幕や関連する記事などの文字情報、副音声の有無などの音声情報、受信電波の周波数帯域に応じたチャンネル情報などが属性情報として含まれている。
【００２７】
デジタル放送では、通常、１チャンネルの帯域が１３セグメントに分割され、そのうちの１２セグメントが家庭内のＴＶ受信機向けサービスに割り当てられ、残りの１セグメントが携帯端末向けサービスに割り当てられる。
【００２８】
ＴＶ放送受信部１ｂによるＴＶ放送波の受信処理では、ユーザが選局したチャンネルに対応する特定の周波数帯域に含まれるベースバンド信号が抽出され、受信データとして出力される。この受信データに基づいて、ディスプレイ１１上にＴＶ映像が表示され、そのＴＶ映像に対応するＴＶ音声がスピーカ６から出力される。
【００２９】
近距離無線通信部１ｃは、近距離通信用のアンテナ及び赤外線の投受光器を介して携帯端末２４やパーソナルコンピュータ２５との間でデータの送受信を行う近距離データ通信処理手段である。
【００３０】
操作入力部３は、操作キーの操作に基づいて入力信号を生成する動作を行っている。受話用レシーバ４は、通話時における音声信号の出力装置であり、送話用マイクロホン５は、音声の入力装置である。スピーカ６は、着信音やＴＶ音声の出力装置である。ディスプレイ１１は、表示画面を有する画像データの出力装置であり、例えば、ＬＣＤ（Liquid Crystal Display：液晶ディスプレイ）が用いられる。
【００３１】
カメラ７は、被写体を撮影し、画像データを生成する撮像装置である。バイブレータ及びＬＥＤ８は、着信や録画開始を振動や光により報知する報知手段であり、バイブレータ及びＬＥＤ（Light Emitting Diode：発光ダイオード）からなる。バイブレータは、偏心配置された金属片などを回転させて振動を生じさせる振動発生装置である。
【００３２】
データ入出力部９は、カードスロット１２内に収容されたメモリカード１３に対して、データの入出力を行う外部インターフェースである。ここでは、ＴＶ放送の録画時に、ＴＶ放送波の受信データがデータ入出力部９によりメモリカード１３に書き込まれるものとする。
【００３３】
マルチメディア処理部１４は、通信データと、ＴＶ放送波の受信データの伸張処理及び圧縮処理を行う半導体チップからなる。このマルチメディア処理部１４では、ＴＶ放送の再生時及び録画時に、ＴＶ映像及びＴＶ音声を伸張し、或いは、圧縮する処理が行われる。
【００３４】
図３は、図２の携帯電話機１０の要部における構成例を示したブロック図であり、主制御部２内の機能構成の一例が示されている。この主制御部２は、予約録画制御部３１、時刻情報記憶部３２、ＴＶ録画再生処理部３３、アプリケーションプログラム実行処理部３４、予約録画優先指定部３５、フラグ記憶部３６及び予約録画報知制御部３７により構成される。予約録画制御部３１は、操作入力部３からの入力信号に基づいて録画開始時刻を指定し、この録画開始時刻に基づいて録画開始信号を生成する制御を行っている。
【００３５】
録画開始時刻は、例えば、時刻情報を直接入力することにより指定され、或いは、ＥＰＧを利用して所望の放送番組を選択することにより指定される。ＥＰＧ（Electronic Program Guide：電子番組情報）は、１セグメント放送波のトランスポートストリーム中に含まれる属性情報であり、チャンネル番号、チャンネル名、番組名、番組開始時刻及び番組終了時刻などからなる。ここでは、録画開始時刻が指定されれば、その録画開始時刻に基づいて、予約録画制御部３１により、ＴＶ放送の再生開始時刻及び予約録画の報知開始時刻が決定され、これらの時刻情報３２ａ〜３２ｃが時刻情報記憶部３２内に格納されるものとする。
【００３６】
ＴＶ放送の再生開始時刻は、ＴＶ放送の予約録画開始に先立ってＴＶ放送の再生を開始させるための時刻情報である。予約録画の報知開始時刻は、ＴＶ放送の予約録画開始を前もって報知させるための時刻情報であり、再生開始時刻よりも前の時刻として定められる。具体的には、報知開始時刻をｔ１とし、再生開始時刻をｔ２とし、そして、録画開始時刻をｔ３とすれば、報知開始時刻ｔ１は、録画開始時刻ｔ３よりも所定時間Ｔ１前の時刻として定められる。また、再生開始時刻ｔ２は、録画開始時刻ｔ３よりも所定時間Ｔ２前の時刻として定められ、Ｔ２＜Ｔ１となっている。つまり、再生開始時刻ｔ２は、報知開始時刻ｔ１及び録画開始時刻ｔ３の間の時刻となっている。
【００３７】
ＴＶ録画再生処理部３３は、ＴＶ放送受信部１ｂからの受信データに基づいて、ＴＶ放送を再生し、ＴＶ放送を録画する処理を行っている。このＴＶ放送の再生及び録画では、ＭＰＥＧ（Moving Picture Experts Group）などのデータ圧縮規格に基づく動画データの伸張処理及び圧縮処理がマルチメディア処理部１４において実行される。ＴＶ放送の再生時には、ＴＶ映像及びＴＶ音声がディスプレイ１１及びスピーカ６へそれぞれ出力され、録画時には、画像データ及び音声データがデータ入出力部９へ出力される。
【００３８】
アプリケーションプログラム実行処理部３４は、ＴＶ放送の録画動作とは同時実行できないアプリケーションプログラムに対し、操作入力部３からの入力信号に基づいてアプリケーションプログラムを実行する処理を行っている。例えば、ウェブサーバ２２上のウェブサイトを閲覧するためのウェブブラウザ機能を実現するアプリケーションプログラムが、ユーザ操作によって起動され、画像データがディスプレイ１１へ出力される。アプリケーションプログラムの実行による通信データや動画データの伸張処理及び圧縮処理は、マルチメディア処理部１４において実行される。
【００３９】
予約録画優先指定部３５は、操作入力部３からの入力信号に基づいて、予約録画優先フラグを有効化する処理を行っている。この予約録画優先フラグは、他のアプリケーションプログラムの実行よりも優先させてＴＶ放送を録画させるためのフラグであり、フラグ記憶部３６内に格納されている。
【００４０】
一般に、ＴＶ放送の録画機能やウェブブラウザ機能を実現するアプリケーションプログラムは、動画データを処理する必要があることから、他のアプリケーションプログラムに比べて、起動時及び実行中の処理負荷が大きい。このため、ＴＶ放送の録画動作と、ウェブブラウザなどの動画データを処理するアプリケーションプログラムとは、同時実行できない場合が少なくない。本実施の形態では、携帯電話機１０の製造コストを下げるために、動画データの処理を共通のマルチメディア処理部１４に行わせている。このマルチメディア処理部１４は、動画データの処理を伴う２以上のアプリケーションプログラムを同時に起動させることができない構成となっている。このため、実行中のアプリケーションプログラムを終了させてからでなければ、他の動画処理を伴うアプリケーションプログラムを起動させることはできない。
【００４１】
ＴＶ放送の録画動作と同時実行できないアプリケーションプログラムとしては、ウェブブラウザなどの通信機能の他、カメラ７による撮像機能がある。予約録画優先フラグは、動画データの処理を伴いＴＶ放送の録画動作と同時実行できないこの様なアプリケーションプログラムに対し、アプリケーションプログラムの実行よりもＴＶ放送の録画を優先させるためのフラグとなっている。
【００４２】
ＴＶ録画再生処理部３３では、予約録画優先フラグと、予約録画制御部３１からの録画開始信号に基づいて、実行中のアプリケーションプログラムを終了させ、録画開始時刻にＴＶ放送の録画を開始する処理が行われる。具体的には、予約録画優先フラグが有効であれば、録画開始時刻ｔ３よりも所定時間Ｔ２前の再生開始時刻ｔ２にアプリケーションプログラムが強制的に終了され、録画開始時刻ｔ３にＴＶ放送の録画が自動的に開始される。一方、予約録画優先フラグが有効でなければ、実行中のアプリケーションプログラムの終了時に、ＴＶ放送の録画が開始される。なお、アプリケーションプログラムの実行中とは、プログラムが立ち上げ（起動）られてから終了されるまでの間のプログラムの動作中のことである。
【００４３】
ここでは、少なくともＴＶ放送を録画している間、ＴＶ放送の再生が行われるものとする。予約録画優先フラグが有効である場合、実行中のアプリケーションプログラムの終了後直ちにＴＶ放送の再生が開始されるものとする。予約録画優先フラグが有効でない場合、録画開始時刻ｔ３よりも前にユーザ操作によってアプリケーションプログラムが終了されれば、アプリケーションプログラムの終了後直ちにＴＶ放送の再生が開始されるものとする。また、録画開始時刻ｔ３よりも後にユーザ操作によってアプリケーションプログラムが終了されれば、アプリケーションプログラムの終了後直ちにＴＶ放送の録画及び再生が開始されるものとする。
【００４４】
なお、ここで、ＴＶ放送の録画動作と同時実行可能なアプリケーションプログラムの場合には、予約録画優先フラグにかかわらず、実行中のアプリケーションプログラムを終了させることなく、再生開始時刻ｔ２にＴＶ放送の再生が開始されるとともに、録画開始時刻ｔ３にＴＶ放送の録画が開始されるものとする。
【００４５】
また、通話中や通信機能を利用したデータの転送中は、ＴＶ放送の録画及び再生を行わず、たとえ予約録画優先フラグが有効であったとしても、通話やデータ転送の終了時に、ＴＶ放送の録画が開始されるものとする。
【００４６】
予約録画報知制御部３７は、時刻情報３２ｃに基づいて、録画開始時刻ｔ３よりも所定時間Ｔ１前の報知開始時刻ｔ１に録画開始を報知する制御をディスプレイ１１、スピーカ６、バイブレータ及びＬＥＤ８に対し行っている。この報知制御により、録画開始を示すメッセージがディスプレイ１１上に表示され、アラーム音がスピーカ６から出力され、バイブレータが振動し、或いは、ＬＥＤが点灯される。
【００４７】
ＴＶ録画再生処理部３３では、予約録画報知制御部３７による録画開始の報知から録画開始時刻ｔ３までの間に行われた実行中のアプリケーションプログラムに対する終了操作に基づいて、ＴＶ放送の再生を開始する処理が行われる。また、アプリケーションプログラムが実行中でなければ、予約録画報知制御部３７による録画開始の報知時に、ＴＶ放送の再生を開始する処理が行われる。
【００４８】
ここで、ＴＶ放送の録画は、ユーザが指定した録画終了時刻が到来し、或いは、ユーザが指定した録画中の放送番組が終了すると、終了されるものとする。
【００４９】
図４（ａ）〜（ｃ）は、図２の携帯電話機１０における動作の一例を示した遷移図であり、予約録画優先フラグを有効化する際の設定画面４０が示されている。図４（ａ）には、ＴＶ放送の視聴に関連するメニューが示され、図４（ｂ）には、ＴＶ設定メニューが示され、図４（ｃ）には、予約録画優先のオン又はオフを指定するための選択メニューが示されている。
【００５０】
この設定画面４０は、ディスプレイ１１の表示画面上に表示される画面表示であり、ピクト表示領域４１、タイトル表示領域４２、メニュー表示領域４３及びガイドキー表示領域４４からなる。ピクト表示領域４１は、動作状態に応じて異なるピクトグラム（絵文字）を表示するための表示領域であり、画面上段に配置されている。ここでは、電波状態を示すアンテナピクト、電池残量を示す電池ピクトがピクト表示領域４１内に配置されている。
【００５１】
タイトル表示領域４２は、設定内容に関連するタイトルを表示するための表示領域であり、ピクト表示領域４１の下に配置されている。メニュー表示領域４３は、選択可能なメニューアイコンを表示するための表示領域であり、タイトル表示領域４２及びガイドキー表示領域４４間に配置されている。選択状態のメニューアイコンは、フォーカス表示、例えば、反転表示され、方向キー又は番号キーを操作することにより、フォーカス位置を移動させることができる。
【００５２】
ガイドキー表示領域４４は、操作キーに割り当てられた機能割り当てを示すアイコンを表示するための表示領域であり、画面下段に配置されている。ここでは、メニューアイコン４４ａ、決定アイコン４４ｂ及び終了アイコン４４ｃがガイドキー表示領域４４内に配置されている。
【００５３】
メニューアイコン４４ａは、ＴＶメニューの設定を終了してメインメニューの画面表示に切り替えるためのアイコンであり、左側に配置されている。決定アイコン４４ｂは、選択状態のメニューアイコンを指定して当該メニューに関連する設定メニューの画面表示に切り替えるためのアイコンであり、中央に配置されている。終了アイコン４４ｃは、ＴＶメニューの設定を終了して待受け表示に切り替えるためのアイコンであり、右側に配置されている。
【００５４】
ＴＶ放送の視聴に関連するメニューでは、タイトル表示領域４２内にタイトル「ＴＶメニュー」が表示され、メニュー表示領域４３内には、「１．ＴＶ視聴」、「２．ＴＶリンク」、「３．電子番組表」、「４．予約リスト」及び「５．ＴＶ設定」の各メニューアイコンが配置されている。
【００５５】
メニューアイコン「１．ＴＶ視聴」は、ＴＶ放送の再生を開始させ、或いは、ＴＶ映像の表示の中断中であれば画像表示を再開させるためのアイコンである。メニューアイコン「２．ＴＶリンク」は、視聴中のＴＶ放送に関連するウェブサイトを閲覧するためのアイコンであり、「３．電子番組表」は、ＥＰＧに含まれる情報を表示させるためのアイコンである。「４．予約リスト」は、登録済みの予約録画や予約視聴の時刻情報を表示させるためのアイコンであり、「５．ＴＶ設定」は、ＴＶ放送の再生及び録画に関連する設定メニューを表示させるためのアイコンである。
【００５６】
この例では、メニューアイコン「５．ＴＶ設定」が選択状態となっており、この状態で決定アイコン４４ｂを操作すれば、ＴＶ放送の再生及び録画に関連する設定メニューの画面表示に切り替えられる。
【００５７】
ＴＶ放送の再生及び録画に関連する設定メニューでは、タイトル表示領域４２内にタイトル「ＴＶ設定」が表示され、メニュー表示領域４３内には、「１．音声出力」、「２．予約録画報知」及び「３．予約録画優先」の各メニューアイコンが配置されている。メニューアイコン「１．音声出力」は、ＴＶ音声の音量や副音声を指定するためのアイコンである。
【００５８】
メニューアイコン「２．予約録画報知」は、録画開始を報知する際の報知開始時刻ｔ１と、アラーム音の鳴動時間と、アラーム音、バイブレータ及びＬＥＤのオン又はオフとを指定するためのアイコンである。「３．予約録画優先」は、予約録画優先フラグを有効化するためのアイコンである。
【００５９】
この例では、メニューアイコン「３．予約録画優先」が選択状態となっており、この状態で決定アイコン４４ｂを操作すれば、予約録画優先のオン又はオフを指定するための選択メニューの画面表示に切り替えられる。
【００６０】
予約録画優先のオン又はオフを指定するための選択メニューでは、タイトル表示領域４２内にタイトル「予約録画優先」が表示され、メニュー表示領域４３内には、「ＯＮ」及び「ＯＦＦ」の各選択アイコンが配置されている。この例では、選択アイコン「ＯＮ」が選択状態となっており、この状態で決定アイコン４４ｂを操作すれば、予約録画優先フラグを有効化することができる。
【００６１】
図５は、図２の携帯電話機１０における動作の一例を示したタイミングチャートであり、予約録画の開始時における動作の様子が示されている。この例では、ＴＶ放送の録画動作と同時実行できないアプリケーションプログラムが少なくとも起動されていない状態を待受け状態とし、待受け状態における画面表示を待受け表示としている。この様な待受け表示中の場合、報知開始時刻ｔ１が到来すると、録画開始が報知され、待受け表示を終了してＴＶ放送の再生が開始される。その後、録画開始時刻ｔ３が到来すると、ＴＶ放送の録画が開始される。
【００６２】
ＴＶ放送の録画動作と同時実行できないアプリケーションプログラムが実行中の場合には、報知開始時刻ｔ１が到来すると、録画開始が報知される。その後、予約録画優先がＯＮであれば、再生開始時刻ｔ２にアプリケーションが強制終了され、ＴＶ放送の再生が開始される。その後、録画開始時刻ｔ３が到来すると、ＴＶ放送の録画が開始される。つまり、この場合、報知開始時刻ｔ１と、録画開始時刻ｔ３との間に、アプリケーションが強制終了され、ＴＶ放送の再生が開始されることとなる。
【００６３】
一方、予約録画優先がＯＦＦであれば、アプリケーションの強制終了は行われず、ユーザによるアプリケーション終了操作時にＴＶ放送の再生又は録画が開始される。このとき、アプリケーション終了操作が録画開始時刻ｔ３よりも前に行われれば、アプリケーションの終了後直ちにＴＶ放送の再生が開始され、そして、録画開始時刻ｔ３にＴＶ放送の録画が開始される。また、アプリケーション終了操作が録画開始時刻ｔ３よりも後に行われれば、アプリケーションの終了後直ちにＴＶ放送の録画が開始される。
【００６４】
待受け表示中は、ユーザが携帯電話機１０を操作していない可能性が高く、この様な場合に、ＴＶ放送の再生を早めに開始させることにより、他のアプリケーションが起動されるのを抑制することができる。これに対し、アプリケーションの実行中は、録画開始の報知から再生開始時刻までアプリケーションの実行を継続させることにより、ユーザはアプリケーションの操作を継続することができる。また、再生開始時刻ｔ２よりも前にアプリケーション終了操作が行われた際に、アプリケーションの終了後直ちにＴＶ放送の再生を開始させることにより、他のアプリケーションが再生開始時刻ｔ２までに起動されるのを抑制することができる。
【００６５】
図６は、図２の携帯電話機１０における動作の一例を示した遷移図であり、ウェブサイト閲覧中における予約録画の開始時の画面表示の様子が示されている。ウェブサイト「お天気サイト」の閲覧画面５１の表示中に、アラーム開始時刻（報知開始時刻ｔ１）が到来すると、報知画面５２が表示される。報知画面５２は、まもなく予約録画が開始されることを示すメッセージを表示する画面表示である。画面下段に配置されたＯＫアイコン５２ａを操作すれば、元の閲覧画面５１に復帰させることができる。
【００６６】
その後、録画開始のｔ秒前、例えば、３０秒前になると、ウェブサイト閲覧のためのウェブブラウザが強制終了され、ＴＶ放送の再生を開始して再生画面５３が表示される。このＴＶ放送の再生画面５３は、ＴＶ映像を表示する表示領域５３ａと、字幕などの属性情報を表示する表示領域５３ｂからなる。この例では、上段に表示領域５３ａが配置され、下段に表示領域５３ｂが配置されている。
【００６７】
その後、録画開始時刻ｔ３が到来すると、予約録画の開始を報知する報知画面５４が表示され、ＴＶ放送の録画が開始される。この報知画面５４は、予約録画が開始されたことを示すメッセージを表示する画面表示である。このメッセージは、表示領域５３ｂ内に表示され、画面下段のＯＫアイコン５４ａを操作すれば、ＴＶ放送の録画再生画面５５を表示させることができる。
【００６８】
録画再生画面５５は、再生中のＴＶ映像を表示する表示領域と、字幕などの属性情報を表示する表示領域からなり、画面下段には、メニューアイコン５５ａ及びパネルアイコン５５ｂが配置されている。メニューアイコン５５ａは、メインメニューを表示させるためのアイコンであり、左側に配置されている。パネルアイコン５５ｂは、ＴＶ放送の視聴に関連するメニューを表示させるためのアイコンであり、右側に配置されている。
【００６９】
図７のステップＳ１０１〜Ｓ１１２は、図２の携帯電話機１０における予約録画動作の一例を示したフローチャートである。まず、予約録画報知制御部３７は、アラーム開始時刻が到来すると、録画開始を示すメッセージを表示し、アラーム音を鳴動させる（ステップＳ１０１，Ｓ１０２）。このとき、ＴＶ録画再生処理部３３は、待受け表示中であれば、直ちに待受け表示を終了させ、ＴＶ放送の再生を開始する（ステップＳ１０３，Ｓ１０８，Ｓ１０９）。一方、待受け中でなければ、予約録画優先がＯＮであるか否かに応じて異なる処理が行われる。
【００７０】
すなわち、予約録画優先がＯＮでなければ、ユーザによるアプリケーションの終了操作に基づいて、実行中のアプリケーションが終了され、ＴＶ放送の再生が開始される（ステップＳ１０４，Ｓ１１２，Ｓ１０８，Ｓ１０９）。また、予約録画優先がＯＮであれば、実行中のアプリケーションがＴＶ放送の録画動作と同時実行可能であるか否かに応じて異なる処理が行われる。
【００７１】
この場合、実行中のアプリケーションがＴＶ放送の録画動作と同時実行可能であれば、アプリケーションを終了させることなく、ＴＶ放送の再生が開始される（ステップＳ１０５，Ｓ１０９）。一方、実行中のアプリケーションがＴＶ放送の録画動作と同時実行可能でなければ、当該アプリケーションが終了可能であるか否かに応じて異なる処理が行われる。
【００７２】
当該アプリケーションが終了可能でなければ、ユーザによるアプリケーションの終了操作に基づいて、実行中のアプリケーションが終了され、ＴＶ放送の再生が開始される（ステップＳ１０６，Ｓ１１２，Ｓ１０８，Ｓ１０９）。当該アプリケーションが終了可能であれば、再生開始時刻の到来に基づいて、実行中のアプリケーションが終了され、ＴＶ放送の再生が開始される（ステップＳ１０７〜Ｓ１０９）。
【００７３】
次に、ＴＶ録画再生処理部３３は、ＴＶ放送の再生開始後に録画開始時刻が到来すると、ＴＶ放送の録画を開始する（ステップＳ１１０，Ｓ１１１）。
【００７４】
本実施の形態によれば、実行中のアプリケーションプログラムを終了させてＴＶ放送の録画を自動的に開始させるので、録画動作とは同時実行できないアプリケーションプログラムの実行中であっても、録画開始時刻に録画動作を開始させ、ＴＶ放送を録画することができる。その際、ユーザ操作によって有効化される予約録画優先フラグに基づいて録画動作が開始されるので、アプリケーションプログラムの実行よりも優先させてＴＶ放送を録画させるか否かをユーザが選択することができる。
【００７５】
また、録画開始時刻の所定時間前にアプリケーションプログラムを終了させた際に、ＴＶ放送の再生が開始されるので、プログラム終了から録画開始までの間に、アプリケーションプログラムが起動されるのを抑制させることができる。また、録画開始の報知から録画開始時刻までの間にアプリケーションプログラムを終了させた際に、ＴＶ放送の再生が開始されるので、プログラム終了から録画開始までの間に、アプリケーションプログラムが起動されるのを抑制させることができる。また、アプリケーションが実行中でなければ、録画開始の報知時にＴＶ放送の再生が開始されるので、待受け表示中にＴＶ放送の録画を開始させる場合に、実際に録画が開始されるまでの間にアプリケーションプログラムが起動されるのを抑制させることができる。
【００７６】
なお、本実施の形態では、ＴＶ放送波の受信データに基づいてＴＶ放送が再生録画される場合の例について説明したが、本発明はこれに限られるものではない。例えば、ウェブサーバ２２が提供するＴＶ映像及びＴＶ音声を通信ネットワーク２１を介して取得し、取得した通信データに基づいてＴＶ放送を再生及び録画する携帯通信端末にも本発明は適用することができる。
【００７７】
また、本明細書中の課題では、動画処理を伴うアプリケーションプログラムは処理負荷が大きいために、ＴＶ放送の録画動作と同時実行できない場合が少なくないとしたが、これは一例であって、ＴＶ放送の録画動作と同時実行できないアプリケーションプログラムは、動画処理を伴うものに限定されるものではない。
【００７８】
ＴＶ放送の録画動作と同時実行できないアプリケーションプログラムとしては、ＴＶ放送の録画処理の様に動画データの伸張処理又は圧縮処理を伴うものの他に、通話に伴う音声データの処理、通信データの処理、メモリカード１３などの外部記憶装置に対するデータの書き込み処理及び読み出し処理を実行するプログラムが考えられる。つまり、マルチメディア処理部１４やメモリカード１３などのハードウェア又はソフトウェアを共通に使用するアプリケーションプログラムが、ＴＶ放送の録画動作と同時実行できないプログラムであり、本発明はこの様なアプリケーションプログラムに対して適用することができる。
【符号の説明】
【００７９】
１ａ  セルラー通信部
１ｂ  ＴＶ放送受信部
１ｃ  近距離無線通信部
２  主制御部
３  操作入力部
４  受話用レシーバ
５  送話用マイクロホン
６  スピーカ
７  カメラ
８  バイブレータ及びＬＥＤ
９  データ入出力部
１０  携帯電話機
１１  ディスプレイ
１２  カードスロット
１３  メモリカード
１４  マルチメディア処理部
２０  基地局
２１  通信ネットワーク
２２  ウェブサーバ
２３  ＴＶ局
２４  携帯端末
２５  パーソナルコンピュータ
３１  予約録画制御部
３２  時刻情報記憶部
３３  ＴＶ録画再生処理部
３４  アプリケーションプログラム実行処理部
３５  予約録画優先指定部
３６  フラグ記憶部
３７  予約録画報知制御部
１００  通信システム
【図１】
2011130479.tif 000003
【図２】
2011130479.tif 000004
【図３】
2011130479.tif 000005
【図４】
2011130479.tif 000006
【図５】
2011130479.tif 000007
【図６】
2011130479.tif 000008
【図７】
2011130479.tif 000009
【手続補正書】
【提出日】平成23年2月3日(2011.2.3)
【手続補正１】
【補正対象書類名】特許請求の範囲
【補正対象項目名】全文
【補正方法】変更
【補正の内容】
【特許請求の範囲】
【請求項１】
ＴＶ放送を視聴することができ、ユーザにより予め指定された録画開始時刻にＴＶ放送の録画を開始させることができる携帯通信端末の予約録画方法であって、
録画が開始される際に録画動作と同時実行できないアプリケーションプログラムが実行中の場合に、予約録画を優先させるか否かをユーザ操作により指定でき、
予約録画が設定され、かつ予約録画を優先することが選択されている場合、
上記録画開始時刻から所定時間前である報知開始時刻が到来したとき、録画開始時刻到来の報知を行い、
上記録画開始時刻から所定時間前であって上記報知開始時刻よりも後である再生開始時刻が到来したとき、上記アプリケーションプログラムが実行中であれば該アプリケーションプログラムを終了させてＴＶ放送の再生を開始し、上記録画開始時刻が到来したときに予約録画を開始させ、
予約録画が設定され、かつ予約録画を優先しないことが選択されている場合、
上記報知開始時刻が到来したとき、上記録画開始時刻の到来を報知し、上記報知開始時刻の後、上記録画開始時刻までの間に上記アプリケーションプログラムが終了されていない場合は、ＴＶ放送の再生を開始せず、上記録画開始時刻が到来したとき、上記アプリケーションプログラムが終了されていない場合は、ＴＶ放送の再生と録画を開始しないことを特徴とする携帯通信端末の予約録画方法。
【請求項２】
予約録画が設定され、かつ予約録画を優先しないことが選択されている場合、
上記報知開始時刻の後、上記録画開始時刻までの間に上記アプリケーションプログラムが終了された場合、ＴＶ放送の再生を開始することを特徴とする請求項１に記載の携帯通信端末の予約録画方法。
【請求項３】
予約録画が設定され、かつ予約録画を優先しないことが選択されている場合、
上記録画開始時刻が到来しても上記アプリケーションプログラムが終了されていない場合は、該アプリケーションプログラムが終了されるまでＴＶ放送の再生と録画を開始せず、上記アプリケーションプログラム終了後予約録画を開始することを特徴とする請求項１又は２に記載の携帯通信端末の予約録画方法。
【手続補正２】
【補正対象書類名】明細書
【補正対象項目名】全文
【補正方法】変更
【補正の内容】
【発明の詳細な説明】
【技術分野】
【０００１】
本発明は、携帯通信端末の予約録画方法に係り、さらに詳しくは、ＴＶ放送を視聴することができ、予め指定された時刻にＴＶ放送の録画を開始させることができる携帯通信端末の改良に関する。
【背景技術】
【０００２】
近年、ＴＶ（TeleVision：テレビジョン）放送波を受信して放送番組を視聴することができる携帯電話機が製品化され、話題となっている。この種の携帯電話機は、地上波デジタル放送の１セグメントサービスに対応するＴＶチューナを備え、トランスポートストリーム中の１セグメントを受信してＴＶ放送の再生を行っている。最近では、単にＴＶ放送を再生するだけでなく、ユーザが予め指定した時刻にＴＶ放送の再生を自動的に開始させる機能、いわゆる予約視聴機能や、ＴＶ放送をメモリカードなどに記録する録画機能を備えた携帯電話機も提案されている（例えば、特許文献１）。
【先行技術文献】
【特許文献】
【０００３】
【特許文献１】特開２００６−２０２８７号公報
【発明の概要】
【発明が解決しようとする課題】
【０００４】
一般に、ＴＶ放送の録画機能などの動画処理を伴う機能を実現するアプリケーションプログラムは、他のアプリケーションプログラムに比べて、起動時又は実行中の処理負荷が大きい。このため、ＴＶ放送の録画動作と、動画データを処理する他のアプリケーションプログラムとは、同時実行できない場合が少なくない。上述した様な従来の携帯電話機では、この様な録画動作とは同時に実行させられないアプリケーションプログラムの実行中にＴＶ放送を録画する場合、ユーザ操作によって実行中のアプリケーションプログラムを終了させる必要があった。このため、ユーザが予め指定した時刻にＴＶ放送の録画を自動的に開始させようとしても、アプリケーションプログラムが実行中であると、録画動作が開始されず、ＴＶ放送を録画できない場合があるという問題があった。
【０００５】
本発明は、上記事情に鑑みてなされたものであり、ＴＶ放送の録画動作とは同時実行できないアプリケーションプログラムの実行中であっても、予め指定された時刻に録画動作を開始させ、ＴＶ放送を録画することができる携帯通信端末を提供することを目的としている。特に、アプリケーションプログラムの実行よりも優先させてＴＶ放送を録画させるか否かをユーザが選択することができる携帯通信端末を提供することを目的としている。
【課題を解決するための手段】
【０００６】
第１の本発明による携帯通信端末の予約録画方法は、ＴＶ放送を視聴することができ、ユーザにより予め指定された録画開始時刻にＴＶ放送の録画を開始させることができる携帯通信端末の予約録画方法であって、録画が開始される際に録画動作と同時実行できないアプリケーションプログラムが実行中の場合に、予約録画を優先させるか否かをユーザ操作により指定でき、予約録画が設定され、かつ予約録画を優先することが選択されている場合、上記録画開始時刻から所定時間前である報知開始時刻が到来したとき、録画開始時刻到来の報知を行い、上記録画開始時刻から所定時間前であって上記報知開始時刻よりも後である再生開始時刻が到来したとき、上記アプリケーションプログラムが実行中であれば該アプリケーションプログラムを終了させてＴＶ放送の再生を開始し、上記録画開始時刻が到来したときに予約録画を開始させ、予約録画が設定され、かつ予約録画を優先しないことが選択されている場合、上記報知開始時刻が到来したとき、上記録画開始時刻の到来を報知し、上記報知開始時刻の後、上記録画開始時刻までの間に上記アプリケーションプログラムが終了されていない場合は、ＴＶ放送の再生を開始せず、上記録画開始時刻が到来したとき、上記アプリケーションプログラムが終了されていない場合は、ＴＶ放送の再生と録画を開始しないように構成される。
【０００７】
第２の本発明による携帯通信端末の予約録画方法は、上記構成に加え、予約録画が設定され、かつ予約録画を優先しないことが選択されている場合、上記報知開始時刻の後、上記録画開始時刻までの間に上記アプリケーションプログラムが終了された場合、ＴＶ放送の再生を開始するように構成される。
【０００８】
第３の本発明による携帯通信端末の予約録画方法は、上記構成に加え、予約録画が設定され、かつ予約録画を優先しないことが選択されている場合、
上記録画開始時刻が到来しても上記アプリケーションプログラムが終了されていない場合は、該アプリケーションプログラムが終了されるまでＴＶ放送の再生と録画を開始せず、上記アプリケーションプログラム終了後予約録画を開始するように構成される。
【発明の効果】
【０００９】
本発明による携帯通信端末によれば、実行中のアプリケーションプログラムを終了させてＴＶ放送の録画を自動的に開始させるので、録画動作とは同時実行できないアプリケーションプログラムの実行中であっても、録画開始時刻に録画動作を開始させ、ＴＶ放送を録画することができる。その際、ユーザ操作によって有効化される予約録画優先フラグに基づいて録画動作が開始されるので、アプリケーションプログラムの実行よりも優先させてＴＶ放送を録画させるか否かをユーザが選択することができる。
【図面の簡単な説明】
【００１０】
【図１】本発明の実施の形態による携帯電話機１０を含む通信システム１００の一構成例を示した図である。
【図２】図１の携帯電話機１０の概略構成の一例を示したブロック図である。
【図３】図２の携帯電話機１０の要部における構成例を示したブロック図であり、主制御部２内の機能構成の一例が示されている。
【図４】図２の携帯電話機１０における動作の一例を示した遷移図であり、予約録画優先フラグを有効化する際の設定画面４０が示されている。
【図５】図２の携帯電話機１０における動作の一例を示したタイミングチャートであり、予約録画の開始時における動作の様子が示されている。
【図６】図２の携帯電話機１０における動作の一例を示した遷移図であり、ウェブサイト閲覧中における予約録画の開始時の画面表示の様子が示されている。
【図７】図２の携帯電話機１０における予約録画動作の一例を示したフローチャートである。
【発明を実施するための形態】
【００１１】
図１は、本発明の実施の形態による携帯電話機１０を含む通信システム１００の一構成例を示した図である。この通信システム１００は、携帯電話機１０、基地局２０、通信ネットワーク２１、ウェブサーバ２２、ＴＶ局２３、携帯端末２４及びパーソナルコンピュータ２５からなる。
【００１２】
通信ネットワーク２１は、基地局２０が接続される移動体通信網と、この移動体通信網にゲートウェイを介して接続されるコンピュータネットワークとを含む通信網である。ここでいうコンピュータネットワークとしては、インターネットやＬＡＮ（Local Area Network）が想定される。
【００１３】
携帯電話機１０は、基地局２０を介して通信ネットワーク２１に接続可能な通信端末であり、通信ネットワーク２１を介して他の携帯電話機と通話し、或いは、電子メールを送受信することができる。この携帯電話機１０には、ディスプレイ１１と、メモリカード１３を収容するカードスロット１２とが設けられている。メモリカード１３は、不揮発性の半導体記憶素子からなる着脱可能な記録媒体である。
【００１４】
ウェブサーバ２２は、通信ネットワーク２１に接続された情報処理装置であり、様々なコンテンツをウェブサイト上で提供している。
【００１５】
基地局２０は、無線サービスエリア内の携帯電話機１０を管理する管理装置であり、通信ネットワーク２１に接続されている。携帯電話機１０は、アドレスを指定して接続要求を送信すれば、この様な基地局２０を介して通信ネットワーク２１上のウェブサーバ２２にアクセスすることができ、ウェブサーバ２２上のウェブサイトを閲覧することができる。
【００１６】
ＴＶ局２３は、ＴＶ放送波を送信する送信装置であり、予め割り当てられた周波数帯域を使用して、放送番組を提供している。携帯電話機１０では、この様なＴＶ放送波を受信してＴＶ放送を再生することができ、ＴＶ局２３が提供する放送番組を視聴することができる。
【００１７】
携帯端末２４は、赤外線を利用して携帯電話機１０と近距離通信可能な通信端末であり、基地局２０を介さずに、携帯電話機１０と直接にデータを送受信することができる。パーソナルコンピュータ２５は、近距離通信用の電波を利用して携帯電話機１０と通信可能な情報処理端末である。
【００１８】
携帯電話機１０は、ウェブサイト上で提供されるコンテンツを取得するウェブブラウザ機能や、ＴＶ放送を再生するＴＶ再生機能の他に、ユーザが予め指定した時刻にＴＶ放送をメモリカード１３に記録する予約録画機能を備えている。
【００１９】
図２は、図１の携帯電話機１０の概略構成の一例を示したブロック図である。この携帯電話機１０は、セルラー通信部１ａ、ＴＶ放送受信部１ｂ、近距離無線通信部１ｃ、主制御部２、操作入力部３、受話用レシーバ４、送話用マイクロホン５、スピーカ６、カメラ７、バイブレータ及びＬＥＤ８、データ入出力部９、ディスプレイ１１、カードスロット１２及びマルチメディア処理部１４からなる。
【００２０】
主制御部２は、セルラー通信部１ａ、ＴＶ放送受信部１ｂ、近距離無線通信部１ｃ、操作入力部３、受話用レシーバ４、送話用マイクロホン５、スピーカ６、カメラ７、バイブレータ及びＬＥＤ８、データ入出力部９及びディスプレイ１１の動作を制御するプロセッサからなる。
【００２１】
セルラー通信部１ａは、通信アンテナを介して基地局２０との間で電波の送受信を行う移動体通信処理手段である。
【００２２】
ＴＶ放送受信部１ｂは、ＴＶ放送受信用のアンテナを介してＴＶ局２３からのＴＶ放送波を受信処理するＴＶチューナである。このＴＶ放送受信部１ｂにより、ＴＶ映像、ＴＶ音声及び属性情報からなる受信データが生成される。一般に、ＴＶ局２３から発信されるＴＶ放送波には、アナログ放送に対応したアナログ放送波と、デジタル放送に対応したデジタル放送波とが含まれている。ＴＶ放送受信部１ｂが受信するデジタル放送波は、デジタルハイビジョン放送波の一定帯域に割り当てられた携帯端末用の１セグメント放送波であり、ＴＶ映像及びＴＶ音声に加えて、そのＴＶ映像に対応する字幕や関連する記事などの文字情報、副音声の有無などの音声情報、受信電波の周波数帯域に応じたチャンネル情報などが属性情報として含まれている。
【００２３】
デジタル放送では、通常、１チャンネルの帯域が１３セグメントに分割され、そのうちの１２セグメントが家庭内のＴＶ受信機向けサービスに割り当てられ、残りの１セグメントが携帯端末向けサービスに割り当てられる。
【００２４】
ＴＶ放送受信部１ｂによるＴＶ放送波の受信処理では、ユーザが選局したチャンネルに対応する特定の周波数帯域に含まれるベースバンド信号が抽出され、受信データとして出力される。この受信データに基づいて、ディスプレイ１１上にＴＶ映像が表示され、そのＴＶ映像に対応するＴＶ音声がスピーカ６から出力される。
【００２５】
近距離無線通信部１ｃは、近距離通信用のアンテナ及び赤外線の投受光器を介して携帯端末２４やパーソナルコンピュータ２５との間でデータの送受信を行う近距離データ通信処理手段である。
【００２６】
操作入力部３は、操作キーの操作に基づいて入力信号を生成する動作を行っている。受話用レシーバ４は、通話時における音声信号の出力装置であり、送話用マイクロホン５は、音声の入力装置である。スピーカ６は、着信音やＴＶ音声の出力装置である。ディスプレイ１１は、表示画面を有する画像データの出力装置であり、例えば、ＬＣＤ（Liquid Crystal Display：液晶ディスプレイ）が用いられる。
【００２７】
カメラ７は、被写体を撮影し、画像データを生成する撮像装置である。バイブレータ及びＬＥＤ８は、着信や録画開始を振動や光により報知する報知手段であり、バイブレータ及びＬＥＤ（Light Emitting Diode：発光ダイオード）からなる。バイブレータは、偏心配置された金属片などを回転させて振動を生じさせる振動発生装置である。
【００２８】
データ入出力部９は、カードスロット１２内に収容されたメモリカード１３に対して、データの入出力を行う外部インターフェースである。ここでは、ＴＶ放送の録画時に、ＴＶ放送波の受信データがデータ入出力部９によりメモリカード１３に書き込まれるものとする。
【００２９】
マルチメディア処理部１４は、通信データと、ＴＶ放送波の受信データの伸張処理及び圧縮処理を行う半導体チップからなる。このマルチメディア処理部１４では、ＴＶ放送の再生時及び録画時に、ＴＶ映像及びＴＶ音声を伸張し、或いは、圧縮する処理が行われる。
【００３０】
図３は、図２の携帯電話機１０の要部における構成例を示したブロック図であり、主制御部２内の機能構成の一例が示されている。この主制御部２は、予約録画制御部３１、時刻情報記憶部３２、ＴＶ録画再生処理部３３、アプリケーションプログラム実行処理部３４、予約録画優先指定部３５、フラグ記憶部３６及び予約録画報知制御部３７により構成される。予約録画制御部３１は、操作入力部３からの入力信号に基づいて録画開始時刻を指定し、この録画開始時刻に基づいて録画開始信号を生成する制御を行っている。
【００３１】
録画開始時刻は、例えば、時刻情報を直接入力することにより指定され、或いは、ＥＰＧを利用して所望の放送番組を選択することにより指定される。ＥＰＧ（Electronic Program Guide：電子番組情報）は、１セグメント放送波のトランスポートストリーム中に含まれる属性情報であり、チャンネル番号、チャンネル名、番組名、番組開始時刻及び番組終了時刻などからなる。ここでは、録画開始時刻が指定されれば、その録画開始時刻に基づいて、予約録画制御部３１により、ＴＶ放送の再生開始時刻及び予約録画の報知開始時刻が決定され、これらの時刻情報３２ａ〜３２ｃが時刻情報記憶部３２内に格納されるものとする。
【００３２】
ＴＶ放送の再生開始時刻は、ＴＶ放送の予約録画開始に先立ってＴＶ放送の再生を開始させるための時刻情報である。予約録画の報知開始時刻は、ＴＶ放送の予約録画開始を前もって報知させるための時刻情報であり、再生開始時刻よりも前の時刻として定められる。具体的には、報知開始時刻をｔ１とし、再生開始時刻をｔ２とし、そして、録画開始時刻をｔ３とすれば、報知開始時刻ｔ１は、録画開始時刻ｔ３よりも所定時間Ｔ１前の時刻として定められる。また、再生開始時刻ｔ２は、録画開始時刻ｔ３よりも所定時間Ｔ２前の時刻として定められ、Ｔ２＜Ｔ１となっている。つまり、再生開始時刻ｔ２は、報知開始時刻ｔ１及び録画開始時刻ｔ３の間の時刻となっている。
【００３３】
ＴＶ録画再生処理部３３は、ＴＶ放送受信部１ｂからの受信データに基づいて、ＴＶ放送を再生し、ＴＶ放送を録画する処理を行っている。このＴＶ放送の再生及び録画では、ＭＰＥＧ（Moving Picture Experts Group）などのデータ圧縮規格に基づく動画データの伸張処理及び圧縮処理がマルチメディア処理部１４において実行される。ＴＶ放送の再生時には、ＴＶ映像及びＴＶ音声がディスプレイ１１及びスピーカ６へそれぞれ出力され、録画時には、画像データ及び音声データがデータ入出力部９へ出力される。
【００３４】
アプリケーションプログラム実行処理部３４は、ＴＶ放送の録画動作とは同時実行できないアプリケーションプログラムに対し、操作入力部３からの入力信号に基づいてアプリケーションプログラムを実行する処理を行っている。例えば、ウェブサーバ２２上のウェブサイトを閲覧するためのウェブブラウザ機能を実現するアプリケーションプログラムが、ユーザ操作によって起動され、画像データがディスプレイ１１へ出力される。アプリケーションプログラムの実行による通信データや動画データの伸張処理及び圧縮処理は、マルチメディア処理部１４において実行される。
【００３５】
予約録画優先指定部３５は、操作入力部３からの入力信号に基づいて、予約録画優先フラグを有効化する処理を行っている。この予約録画優先フラグは、他のアプリケーションプログラムの実行よりも優先させてＴＶ放送を録画させるためのフラグであり、フラグ記憶部３６内に格納されている。
【００３６】
一般に、ＴＶ放送の録画機能やウェブブラウザ機能を実現するアプリケーションプログラムは、動画データを処理する必要があることから、他のアプリケーションプログラムに比べて、起動時及び実行中の処理負荷が大きい。このため、ＴＶ放送の録画動作と、ウェブブラウザなどの動画データを処理するアプリケーションプログラムとは、同時実行できない場合が少なくない。本実施の形態では、携帯電話機１０の製造コストを下げるために、動画データの処理を共通のマルチメディア処理部１４に行わせている。このマルチメディア処理部１４は、動画データの処理を伴う２以上のアプリケーションプログラムを同時に起動させることができない構成となっている。このため、実行中のアプリケーションプログラムを終了させてからでなければ、他の動画処理を伴うアプリケーションプログラムを起動させることはできない。
【００３７】
ＴＶ放送の録画動作と同時実行できないアプリケーションプログラムとしては、ウェブブラウザなどの通信機能の他、カメラ７による撮像機能がある。予約録画優先フラグは、動画データの処理を伴いＴＶ放送の録画動作と同時実行できないこの様なアプリケーションプログラムに対し、アプリケーションプログラムの実行よりもＴＶ放送の録画を優先させるためのフラグとなっている。
【００３８】
ＴＶ録画再生処理部３３では、予約録画優先フラグと、予約録画制御部３１からの録画開始信号に基づいて、実行中のアプリケーションプログラムを終了させ、録画開始時刻にＴＶ放送の録画を開始する処理が行われる。具体的には、予約録画優先フラグが有効であれば、録画開始時刻ｔ３よりも所定時間Ｔ２前の再生開始時刻ｔ２にアプリケーションプログラムが強制的に終了され、録画開始時刻ｔ３にＴＶ放送の録画が自動的に開始される。一方、予約録画優先フラグが有効でなければ、実行中のアプリケーションプログラムの終了時に、ＴＶ放送の録画が開始される。なお、アプリケーションプログラムの実行中とは、プログラムが立ち上げ（起動）られてから終了されるまでの間のプログラムの動作中のことである。
【００３９】
ここでは、少なくともＴＶ放送を録画している間、ＴＶ放送の再生が行われるものとする。予約録画優先フラグが有効である場合、実行中のアプリケーションプログラムの終了後直ちにＴＶ放送の再生が開始されるものとする。予約録画優先フラグが有効でない場合、録画開始時刻ｔ３よりも前にユーザ操作によってアプリケーションプログラムが終了されれば、アプリケーションプログラムの終了後直ちにＴＶ放送の再生が開始されるものとする。また、録画開始時刻ｔ３よりも後にユーザ操作によってアプリケーションプログラムが終了されれば、アプリケーションプログラムの終了後直ちにＴＶ放送の録画及び再生が開始されるものとする。
【００４０】
なお、ここで、ＴＶ放送の録画動作と同時実行可能なアプリケーションプログラムの場合には、予約録画優先フラグにかかわらず、実行中のアプリケーションプログラムを終了させることなく、再生開始時刻ｔ２にＴＶ放送の再生が開始されるとともに、録画開始時刻ｔ３にＴＶ放送の録画が開始されるものとする。
【００４１】
また、通話中や通信機能を利用したデータの転送中は、ＴＶ放送の録画及び再生を行わず、たとえ予約録画優先フラグが有効であったとしても、通話やデータ転送の終了時に、ＴＶ放送の録画が開始されるものとする。
【００４２】
予約録画報知制御部３７は、時刻情報３２ｃに基づいて、録画開始時刻ｔ３よりも所定時間Ｔ１前の報知開始時刻ｔ１に録画開始を報知する制御をディスプレイ１１、スピーカ６、バイブレータ及びＬＥＤ８に対し行っている。この報知制御により、録画開始を示すメッセージがディスプレイ１１上に表示され、アラーム音がスピーカ６から出力され、バイブレータが振動し、或いは、ＬＥＤが点灯される。
【００４３】
ＴＶ録画再生処理部３３では、予約録画報知制御部３７による録画開始の報知から録画開始時刻ｔ３までの間に行われた実行中のアプリケーションプログラムに対する終了操作に基づいて、ＴＶ放送の再生を開始する処理が行われる。また、アプリケーションプログラムが実行中でなければ、予約録画報知制御部３７による録画開始の報知時に、ＴＶ放送の再生を開始する処理が行われる。
【００４４】
ここで、ＴＶ放送の録画は、ユーザが指定した録画終了時刻が到来し、或いは、ユーザが指定した録画中の放送番組が終了すると、終了されるものとする。
【００４５】
図４（ａ）〜（ｃ）は、図２の携帯電話機１０における動作の一例を示した遷移図であり、予約録画優先フラグを有効化する際の設定画面４０が示されている。図４（ａ）には、ＴＶ放送の視聴に関連するメニューが示され、図４（ｂ）には、ＴＶ設定メニューが示され、図４（ｃ）には、予約録画優先のオン又はオフを指定するための選択メニューが示されている。
【００４６】
この設定画面４０は、ディスプレイ１１の表示画面上に表示される画面表示であり、ピクト表示領域４１、タイトル表示領域４２、メニュー表示領域４３及びガイドキー表示領域４４からなる。ピクト表示領域４１は、動作状態に応じて異なるピクトグラム（絵文字）を表示するための表示領域であり、画面上段に配置されている。ここでは、電波状態を示すアンテナピクト、電池残量を示す電池ピクトがピクト表示領域４１内に配置されている。
【００４７】
タイトル表示領域４２は、設定内容に関連するタイトルを表示するための表示領域であり、ピクト表示領域４１の下に配置されている。メニュー表示領域４３は、選択可能なメニューアイコンを表示するための表示領域であり、タイトル表示領域４２及びガイドキー表示領域４４間に配置されている。選択状態のメニューアイコンは、フォーカス表示、例えば、反転表示され、方向キー又は番号キーを操作することにより、フォーカス位置を移動させることができる。
【００４８】
ガイドキー表示領域４４は、操作キーに割り当てられた機能割り当てを示すアイコンを表示するための表示領域であり、画面下段に配置されている。ここでは、メニューアイコン４４ａ、決定アイコン４４ｂ及び終了アイコン４４ｃがガイドキー表示領域４４内に配置されている。
【００４９】
メニューアイコン４４ａは、ＴＶメニューの設定を終了してメインメニューの画面表示に切り替えるためのアイコンであり、左側に配置されている。決定アイコン４４ｂは、選択状態のメニューアイコンを指定して当該メニューに関連する設定メニューの画面表示に切り替えるためのアイコンであり、中央に配置されている。終了アイコン４４ｃは、ＴＶメニューの設定を終了して待受け表示に切り替えるためのアイコンであり、右側に配置されている。
【００５０】
ＴＶ放送の視聴に関連するメニューでは、タイトル表示領域４２内にタイトル「ＴＶメニュー」が表示され、メニュー表示領域４３内には、「１．ＴＶ視聴」、「２．ＴＶリンク」、「３．電子番組表」、「４．予約リスト」及び「５．ＴＶ設定」の各メニューアイコンが配置されている。
【００５１】
メニューアイコン「１．ＴＶ視聴」は、ＴＶ放送の再生を開始させ、或いは、ＴＶ映像の表示の中断中であれば画像表示を再開させるためのアイコンである。メニューアイコン「２．ＴＶリンク」は、視聴中のＴＶ放送に関連するウェブサイトを閲覧するためのアイコンであり、「３．電子番組表」は、ＥＰＧに含まれる情報を表示させるためのアイコンである。「４．予約リスト」は、登録済みの予約録画や予約視聴の時刻情報を表示させるためのアイコンであり、「５．ＴＶ設定」は、ＴＶ放送の再生及び録画に関連する設定メニューを表示させるためのアイコンである。
【００５２】
この例では、メニューアイコン「５．ＴＶ設定」が選択状態となっており、この状態で決定アイコン４４ｂを操作すれば、ＴＶ放送の再生及び録画に関連する設定メニューの画面表示に切り替えられる。
【００５３】
ＴＶ放送の再生及び録画に関連する設定メニューでは、タイトル表示領域４２内にタイトル「ＴＶ設定」が表示され、メニュー表示領域４３内には、「１．音声出力」、「２．予約録画報知」及び「３．予約録画優先」の各メニューアイコンが配置されている。メニューアイコン「１．音声出力」は、ＴＶ音声の音量や副音声を指定するためのアイコンである。
【００５４】
メニューアイコン「２．予約録画報知」は、録画開始を報知する際の報知開始時刻ｔ１と、アラーム音の鳴動時間と、アラーム音、バイブレータ及びＬＥＤのオン又はオフとを指定するためのアイコンである。「３．予約録画優先」は、予約録画優先フラグを有効化するためのアイコンである。
【００５５】
この例では、メニューアイコン「３．予約録画優先」が選択状態となっており、この状態で決定アイコン４４ｂを操作すれば、予約録画優先のオン又はオフを指定するための選択メニューの画面表示に切り替えられる。
【００５６】
予約録画優先のオン又はオフを指定するための選択メニューでは、タイトル表示領域４２内にタイトル「予約録画優先」が表示され、メニュー表示領域４３内には、「ＯＮ」及び「ＯＦＦ」の各選択アイコンが配置されている。この例では、選択アイコン「ＯＮ」が選択状態となっており、この状態で決定アイコン４４ｂを操作すれば、予約録画優先フラグを有効化することができる。
【００５７】
図５は、図２の携帯電話機１０における動作の一例を示したタイミングチャートであり、予約録画の開始時における動作の様子が示されている。この例では、ＴＶ放送の録画動作と同時実行できないアプリケーションプログラムが少なくとも起動されていない状態を待受け状態とし、待受け状態における画面表示を待受け表示としている。この様な待受け表示中の場合、報知開始時刻ｔ１が到来すると、録画開始が報知され、待受け表示を終了してＴＶ放送の再生が開始される。その後、録画開始時刻ｔ３が到来すると、ＴＶ放送の録画が開始される。
【００５８】
ＴＶ放送の録画動作と同時実行できないアプリケーションプログラムが実行中の場合には、報知開始時刻ｔ１が到来すると、録画開始が報知される。その後、予約録画優先がＯＮであれば、再生開始時刻ｔ２にアプリケーションが強制終了され、ＴＶ放送の再生が開始される。その後、録画開始時刻ｔ３が到来すると、ＴＶ放送の録画が開始される。つまり、この場合、報知開始時刻ｔ１と、録画開始時刻ｔ３との間に、アプリケーションが強制終了され、ＴＶ放送の再生が開始されることとなる。
【００５９】
一方、予約録画優先がＯＦＦであれば、アプリケーションの強制終了は行われず、ユーザによるアプリケーション終了操作時にＴＶ放送の再生又は録画が開始される。このとき、アプリケーション終了操作が録画開始時刻ｔ３よりも前に行われれば、アプリケーションの終了後直ちにＴＶ放送の再生が開始され、そして、録画開始時刻ｔ３にＴＶ放送の録画が開始される。また、アプリケーション終了操作が録画開始時刻ｔ３よりも後に行われれば、アプリケーションの終了後直ちにＴＶ放送の録画が開始される。
【００６０】
待受け表示中は、ユーザが携帯電話機１０を操作していない可能性が高く、この様な場合に、ＴＶ放送の再生を早めに開始させることにより、他のアプリケーションが起動されるのを抑制することができる。これに対し、アプリケーションの実行中は、録画開始の報知から再生開始時刻までアプリケーションの実行を継続させることにより、ユーザはアプリケーションの操作を継続することができる。また、再生開始時刻ｔ２よりも前にアプリケーション終了操作が行われた際に、アプリケーションの終了後直ちにＴＶ放送の再生を開始させることにより、他のアプリケーションが再生開始時刻ｔ２までに起動されるのを抑制することができる。
【００６１】
図６は、図２の携帯電話機１０における動作の一例を示した遷移図であり、ウェブサイト閲覧中における予約録画の開始時の画面表示の様子が示されている。ウェブサイト「お天気サイト」の閲覧画面５１の表示中に、アラーム開始時刻（報知開始時刻ｔ１）が到来すると、報知画面５２が表示される。報知画面５２は、まもなく予約録画が開始されることを示すメッセージを表示する画面表示である。画面下段に配置されたＯＫアイコン５２ａを操作すれば、元の閲覧画面５１に復帰させることができる。
【００６２】
その後、録画開始のｔ秒前、例えば、３０秒前になると、ウェブサイト閲覧のためのウェブブラウザが強制終了され、ＴＶ放送の再生を開始して再生画面５３が表示される。このＴＶ放送の再生画面５３は、ＴＶ映像を表示する表示領域５３ａと、字幕などの属性情報を表示する表示領域５３ｂからなる。この例では、上段に表示領域５３ａが配置され、下段に表示領域５３ｂが配置されている。
【００６３】
その後、録画開始時刻ｔ３が到来すると、予約録画の開始を報知する報知画面５４が表示され、ＴＶ放送の録画が開始される。この報知画面５４は、予約録画が開始されたことを示すメッセージを表示する画面表示である。このメッセージは、表示領域５３ｂ内に表示され、画面下段のＯＫアイコン５４ａを操作すれば、ＴＶ放送の録画再生画面５５を表示させることができる。
【００６４】
録画再生画面５５は、再生中のＴＶ映像を表示する表示領域と、字幕などの属性情報を表示する表示領域からなり、画面下段には、メニューアイコン５５ａ及びパネルアイコン５５ｂが配置されている。メニューアイコン５５ａは、メインメニューを表示させるためのアイコンであり、左側に配置されている。パネルアイコン５５ｂは、ＴＶ放送の視聴に関連するメニューを表示させるためのアイコンであり、右側に配置されている。
【００６５】
図７のステップＳ１０１〜Ｓ１１２は、図２の携帯電話機１０における予約録画動作の一例を示したフローチャートである。まず、予約録画報知制御部３７は、アラーム開始時刻が到来すると、録画開始を示すメッセージを表示し、アラーム音を鳴動させる（ステップＳ１０１，Ｓ１０２）。このとき、ＴＶ録画再生処理部３３は、待受け表示中であれば、直ちに待受け表示を終了させ、ＴＶ放送の再生を開始する（ステップＳ１０３，Ｓ１０８，Ｓ１０９）。一方、待受け中でなければ、予約録画優先がＯＮであるか否かに応じて異なる処理が行われる。
【００６６】
すなわち、予約録画優先がＯＮでなければ、ユーザによるアプリケーションの終了操作に基づいて、実行中のアプリケーションが終了され、ＴＶ放送の再生が開始される（ステップＳ１０４，Ｓ１１２，Ｓ１０８，Ｓ１０９）。また、予約録画優先がＯＮであれば、実行中のアプリケーションがＴＶ放送の録画動作と同時実行可能であるか否かに応じて異なる処理が行われる。
【００６７】
この場合、実行中のアプリケーションがＴＶ放送の録画動作と同時実行可能であれば、アプリケーションを終了させることなく、ＴＶ放送の再生が開始される（ステップＳ１０５，Ｓ１０９）。一方、実行中のアプリケーションがＴＶ放送の録画動作と同時実行可能でなければ、当該アプリケーションが終了可能であるか否かに応じて異なる処理が行われる。
【００６８】
当該アプリケーションが終了可能でなければ、ユーザによるアプリケーションの終了操作に基づいて、実行中のアプリケーションが終了され、ＴＶ放送の再生が開始される（ステップＳ１０６，Ｓ１１２，Ｓ１０８，Ｓ１０９）。当該アプリケーションが終了可能であれば、再生開始時刻の到来に基づいて、実行中のアプリケーションが終了され、ＴＶ放送の再生が開始される（ステップＳ１０７〜Ｓ１０９）。
【００６９】
次に、ＴＶ録画再生処理部３３は、ＴＶ放送の再生開始後に録画開始時刻が到来すると、ＴＶ放送の録画を開始する（ステップＳ１１０，Ｓ１１１）。
【００７０】
本実施の形態によれば、実行中のアプリケーションプログラムを終了させてＴＶ放送の録画を自動的に開始させるので、録画動作とは同時実行できないアプリケーションプログラムの実行中であっても、録画開始時刻に録画動作を開始させ、ＴＶ放送を録画することができる。その際、ユーザ操作によって有効化される予約録画優先フラグに基づいて録画動作が開始されるので、アプリケーションプログラムの実行よりも優先させてＴＶ放送を録画させるか否かをユーザが選択することができる。
【００７１】
また、録画開始時刻の所定時間前にアプリケーションプログラムを終了させた際に、ＴＶ放送の再生が開始されるので、プログラム終了から録画開始までの間に、アプリケーションプログラムが起動されるのを抑制させることができる。また、録画開始の報知から録画開始時刻までの間にアプリケーションプログラムを終了させた際に、ＴＶ放送の再生が開始されるので、プログラム終了から録画開始までの間に、アプリケーションプログラムが起動されるのを抑制させることができる。また、アプリケーションが実行中でなければ、録画開始の報知時にＴＶ放送の再生が開始されるので、待受け表示中にＴＶ放送の録画を開始させる場合に、実際に録画が開始されるまでの間にアプリケーションプログラムが起動されるのを抑制させることができる。
【００７２】
なお、本実施の形態では、ＴＶ放送波の受信データに基づいてＴＶ放送が再生録画される場合の例について説明したが、本発明はこれに限られるものではない。例えば、ウェブサーバ２２が提供するＴＶ映像及びＴＶ音声を通信ネットワーク２１を介して取得し、取得した通信データに基づいてＴＶ放送を再生及び録画する携帯通信端末にも本発明は適用することができる。
【００７３】
また、本明細書中の課題では、動画処理を伴うアプリケーションプログラムは処理負荷が大きいために、ＴＶ放送の録画動作と同時実行できない場合が少なくないとしたが、これは一例であって、ＴＶ放送の録画動作と同時実行できないアプリケーションプログラムは、動画処理を伴うものに限定されるものではない。
【００７４】
ＴＶ放送の録画動作と同時実行できないアプリケーションプログラムとしては、ＴＶ放送の録画処理の様に動画データの伸張処理又は圧縮処理を伴うものの他に、通話に伴う音声データの処理、通信データの処理、メモリカード１３などの外部記憶装置に対するデータの書き込み処理及び読み出し処理を実行するプログラムが考えられる。つまり、マルチメディア処理部１４やメモリカード１３などのハードウェア又はソフトウェアを共通に使用するアプリケーションプログラムが、ＴＶ放送の録画動作と同時実行できないプログラムであり、本発明はこの様なアプリケーションプログラムに対して適用することができる。
【００７５】
要するに、第１の発明による携帯通信端末は、ＴＶ放送を視聴することができ、予め指定された時刻にＴＶ放送の録画を開始させることができる携帯通信端末であって、上記ＴＶ放送を録画するＴＶ放送録画手段と、上記ＴＶ放送の録画動作とは同時実行できないアプリケーションプログラムに対し、ユーザ操作に基づいて上記アプリケーションプログラムを実行するアプリケーションプログラム実行手段と、上記アプリケーションプログラムの実行よりも優先させて上記ＴＶ放送を録画させるための予約録画優先フラグを記憶するフラグ記憶手段と、ユーザ操作に基づいて上記予約録画優先フラグを有効化する予約録画優先指定手段と、ユーザ操作に基づいて録画開始時刻を指定し、上記録画開始時刻に基づいて録画開始信号を生成する予約録画制御手段とを備え、上記ＴＶ放送録画手段が、上記予約録画優先フラグ及び上記録画開始信号に基づいて、実行中の上記アプリケーションプログラムを終了させ、上記録画開始時刻にＴＶ放送の録画を開始するように構成される。
【００７６】
この携帯通信端末では、録画開始時刻に基づいて生成される録画開始信号と、ＴＶ放送の録画動作とは同時実行できないアプリケーションプログラムの実行よりも優先させてＴＶ放送を録画させるための予約録画優先フラグとに基づいて、実行中のアプリケーションプログラムを終了させてＴＶ放送の録画が開始される。例えば、ＴＶ放送の録画機能や、ウェブサイトを閲覧するためのウェブブラウザ機能を実現するアプリケーションプログラムは、動画データを処理する必要があることから、他のアプリケーションプログラムに比べて、起動時又は実行中の処理負荷が大きい。このため、ＴＶ放送の録画動作と、ウェブブラウザなどの動画データを処理するアプリケーションプログラムとは、同時実行できない場合が少なくない。本発明による携帯通信端末では、上記構成により、実行中のアプリケーションプログラムを終了させてＴＶ放送の録画を自動的に開始させるので、録画動作とは同時実行できないアプリケーションプログラムの実行中であっても、録画開始時刻に録画動作を開始させ、ＴＶ放送を録画することができる。その際、ユーザ操作によって有効化される予約録画優先フラグに基づいて録画動作が開始されるので、アプリケーションプログラムの実行よりも優先させてＴＶ放送を録画させるか否かをユーザが選択することができる。
【００７７】
第２の発明による携帯通信端末は、上記構成に加え、上記ＴＶ放送録画手段が、上記予約録画優先フラグが有効であれば、上記録画開始時刻よりも所定時間前に上記アプリケーションプログラムを終了させ、録画開始時刻にＴＶ放送の録画を開始し、予約録画優先フラグが有効でなければ、実行中の上記アプリケーションプログラムの終了時にＴＶ放送の録画を開始するように構成される。
【００７８】
第３の発明による携帯通信端末は、上記構成に加え、上記ＴＶ放送録画手段が、上記録画開始時刻よりも上記所定時間前に上記アプリケーションプログラムを終了させて上記ＴＶ放送を再生するように構成される。この様な構成によれば、録画開始時刻の所定時間前にアプリケーションプログラムを終了させた際に、ＴＶ放送の再生が開始されるので、プログラム終了から録画開始までの間に、アプリケーションプログラムが起動されるのを抑制させることができる。
【００７９】
第４の発明による携帯通信端末は、上記構成に加え、上記録画開始時刻よりも所定時間前に録画開始を報知する予約録画報知手段を備え、上記ＴＶ放送録画手段が、上記予約録画報知手段による録画開始の報知から上記録画開始時刻までの間に行われた実行中の上記アプリケーションプログラムに対する終了操作に基づいて、上記ＴＶ放送の再生を開始するように構成される。この携帯通信端末では、録画開始の報知から録画開始時刻までの間に、実行中のアプリケーションプログラムを終了するための終了操作が行われた場合、その終了操作に基づいてＴＶ放送の再生が開始される。この様な構成によれば、録画開始の報知から録画開始時刻までの間にアプリケーションプログラムを終了させた際に、ＴＶ放送の再生が開始されるので、プログラム終了から録画開始までの間に、アプリケーションプログラムが起動されるのを抑制させることができる。
【００８０】
第５の発明による携帯通信端末は、上記構成に加え、上記ＴＶ放送録画手段が、上記アプリケーションプログラムが実行中でなければ、上記予約録画報知手段による録画開始の報知時に、上記ＴＶ放送の再生を開始するように構成される。この様な構成によれば、アプリケーションプログラムが実行中でなければ、録画開始の報知時にＴＶ放送の再生が開始されるので、録画開始の報知から実際に録画が開始されるまでの間に、アプリケーションプログラムが起動されるのを抑制させることができる。
【００８１】
第６の発明による携帯通信端末は、上記構成に加え、上記予約録画報知手段により録画開始が報知される時刻が、上記ＴＶ放送録画手段により実行中のアプリケーションプログラムを終了してＴＶ放送の再生が開始される時刻よりも前であるように構成される。
【符号の説明】
【００８２】
１ａ  セルラー通信部
１ｂ  ＴＶ放送受信部
１ｃ  近距離無線通信部
２  主制御部
３  操作入力部
４  受話用レシーバ
５  送話用マイクロホン
６  スピーカ
７  カメラ
８  バイブレータ及びＬＥＤ
９  データ入出力部
１０  携帯電話機
１１  ディスプレイ
１２  カードスロット
１３  メモリカード
１４  マルチメディア処理部
２０  基地局
２１  通信ネットワーク
２２  ウェブサーバ
２３  ＴＶ局
２４  携帯端末
２５  パーソナルコンピュータ
３１  予約録画制御部
３２  時刻情報記憶部
３３  ＴＶ録画再生処理部
３４  アプリケーションプログラム実行処理部
３５  予約録画優先指定部
３６  フラグ記憶部
３７  予約録画報知制御部
１００  通信システム